(57)【要約】【課題】改竄が困難であるとともに、改竄がなされた場合には改竄がなされたことを容易に判別することができる個人情報表示体を提供する。【解決手段】個人情報表示体１０は、レーザー発色層２６と、レーザー発色層２６の一側またはレーザー発色層２６に設けられ、個人情報を表示する第１表示要素４１と、レーザー発色層２６にレーザーエングレービングで形成され、個人情報を表示する第２表示要素４２と、を備えている。そして、第１表示要素４１と第２表示要素４２とは、少なくとも部分的に重なっている。【選択図】図２
2019155727.tif 000002
【特許請求の範囲】
【請求項１】
個人情報が記録された、記録層を含む個人情報表示体であって、
前記記録層の一側または前記記録層に印刷で形成され、個人情報を表示する第１表示要素と、
前記記録層に形成され、凹凸により個人情報を表示する第２表示要素と、を備え、
前記第１表示要素と前記第２表示要素とは、少なくとも部分的に重なっている、個人情報表示体。
【請求項２】
個人情報が記録された、記録層を含む個人情報表示体であって、
前記記録層の一側または前記記録層に印刷で形成され、個人情報を表示する第１表示要素と、
前記記録層の前記第１表示要素と重なる領域または前記第１表示要素が設けられた領域の内部に形成され、個人情報を表示する第２表示要素と、を備えた、個人情報表示体。
【請求項３】
前記記録層の他側に配置された背景印刷層を更に備え、
前記第２表示要素は、前記背景印刷層まで延びている、請求項１または２に記載の個人情報表示体。
【請求項４】
前記記録層の一側に背景印刷層を更に備え、
前記第１表示要素は、前記背景印刷層の一側または前記背景印刷層に形成され、
前記第２表示要素は、前記背景印刷層まで延びている、請求項１または２に記載の個人情報表示体。
【請求項５】
前記記録層の他側に配置された基材層を更に備え、
前記第２表示要素は、前記基材層まで延びている、請求項１〜４のいずれか一項に記載の個人情報表示体。
【請求項６】
前記第２表示要素は、前記記録層の一側に位置し前記個人情報表示体の最表面をなす表示面から、前記記録層の他側まで延びている、請求項１〜５のいずれか一項に記載の個人情報表示体。
【請求項７】
前記記録層に形成され、個人情報を表示する第３表示要素を更に備え、
前記第２表示要素は、形成に用いられる材料および形成方法のいずれか少なくとも一方において、前記第３表示要素と同じである、請求項１〜６のいずれか一項に記載の個人情報表示体。
【請求項８】
個人情報が記録された、レーザー発色層を含む個人情報表示体であって、
前記レーザー発色層の一側または前記レーザー発色層に設けられ、個人情報を表示する第１表示要素と、
前記レーザー発色層にレーザーエングレービングで形成され、個人情報を表示する第２表示要素と、を備え、
前記第１表示要素と前記第２表示要素とは、少なくとも部分的に重なっている、個人情報表示体。
【請求項９】
前記第２表示要素は、前記第２表示要素が表示する個人情報に対応する凹凸を形成している、請求項８に記載の個人情報表示体。
【請求項１０】
前記レーザー発色層の他側に配置された背景印刷層を更に備え、
前記第２表示要素は、前記背景印刷層まで延びている、請求項８または９に記載の個人情報表示体。
【請求項１１】
前記レーザー発色層の一側に背景印刷層を更に備え、
前記第１表示要素は、前記背景印刷層の一側または前記背景印刷層に形成され、
前記第２表示要素は、前記背景印刷層まで延びている、請求項８または９に記載の個人情報表示体。
【請求項１２】
前記レーザー発色層の他側に配置された基材層を更に備え、
前記第２表示要素は、前記基材層まで延びている、請求項８〜１１のいずれか一項に記載の個人情報表示体。
【請求項１３】
前記第２表示要素は、前記レーザー発色層の一側に位置し前記個人情報表示体の最表面をなす表示面から、前記レーザー発色層の他側まで延びている、請求項８〜１２のいずれか一項に記載の個人情報表示体。
【請求項１４】
前記レーザー発色層にレーザーエングレービングで形成され、個人情報を表示する第３表示要素を更に備えた、請求項８〜１３のいずれか一項に記載の個人情報表示体。
【請求項１５】
前記第２表示要素は、形成に用いられる材料および形成方法のいずれか少なくとも一方において、前記第１表示要素と異なる、請求項１〜１４のいずれか一項に記載の個人情報表示体。
【請求項１６】
前記第１表示要素は、特定人の像を表示する、請求項１〜１５のいずれか一項に記載の個人情報表示体。
【発明の詳細な説明】
【技術分野】
【０００１】
本発明は、個人情報が記録された個人情報表示体に関する。
【背景技術】
【０００２】
所有者の身元や資格等を証明するための媒体として、当該所有者の個人情報を記録した個人情報表示体が広く利用されてきた。個人情報表示体として、パスポート、運転免許証、健康保険証、キャッシュカード、クレジットカード、社員証、会員証等が例示される。個人情報表示体は、通常、基材の表面に、個人情報を記録した層と、個人情報表示体の最表面を成すカバー層を順次積層することにより形成される。例えば特許文献１および２にも開示されているように、このような個人情報表示体に対しては、その用途に対応して、真贋判定が容易であることのほか、効果的に個人情報の改竄を防止し得ることが要望される。このような要望に応えるべく、個人情報を記録した層とカバー層との間に、ホログラムやインクにより形成された微細なパターンを配置することが検討されてきた。個人情報を記録した層とカバー層との間に微細なパターンが配置されている場合、個人情報を改竄するには、微細なパターンの一部を破壊し、さらに作製が容易ではない微細なパターンを作製する必要がある。
【先行技術文献】
【特許文献】
【０００３】
【特許文献１】特開平５−２０１１９７号公報
【特許文献２】特開平５−２２２６８５号公報
【発明の概要】
【発明が解決しようとする課題】
【０００４】
しかしながら、個人情報の改竄がなされる際に、微細なパターンが全て取り除かれ、改竄前の微細なパターンに似たパターンが配置された場合、改竄がなされたことを容易に判別することができないことがある。
【０００５】
本発明は以上の点を考慮してなされたものであり、改竄が困難であるとともに、改竄がなされた場合には改竄がなされたことを容易に判別することができる個人情報表示体を提供することを目的とする。
【課題を解決するための手段】
【０００６】
本実施形態による個人情報表示体は、
個人情報が記録された、記録層を含む個人情報表示体であって、
前記記録層の一側または前記記録層に印刷で形成され、個人情報を表示する第１表示要素と、
前記記録層に形成され、凹凸により個人情報を表示する第２表示要素と、を備え、
前記第１表示要素と前記第２表示要素とは、少なくとも部分的に重なっている。
【０００７】
あるいは、本実施形態による個人情報表示体は、
個人情報が記録された、記録層を含む個人情報表示体であって、
前記記録層の一側または前記記録層に印刷で形成され、個人情報を表示する第１表示要素と、
前記記録層の前記第１表示要素と重なる領域または前記第１表示要素が設けられた領域の内部に形成され、個人情報を表示する第２表示要素と、を備えている。
【０００８】
この場合、個人情報表示体は、前記記録層の他側に配置された背景印刷層を更に備え、前記第２表示要素は、前記背景印刷層まで延びていてもよい。
【０００９】
あるいは、個人情報表示体は、前記記録層の一側に背景印刷層を更に備え、前記第１表示要素は、前記背景印刷層の一側または前記背景印刷層に形成され、前記第２表示要素は、前記背景印刷層まで延びていてもよい。
【００１０】
また、個人情報表示体は、前記記録層の他側に配置された基材層を更に備え、
前記第２表示要素は、前記基材層まで延びていてもよい。
【００１１】
また、この場合、前記第２表示要素は、前記記録層の一側に位置し前記個人情報表示体の最表面をなす表示面から、前記記録層の他側まで延びていてもよい。
【００１２】
また、この場合、個人情報表示体は、前記記録層に形成され、個人情報を表示する第３表示要素を更に備え、
前記第２表示要素は、形成に用いられる材料および形成方法のいずれか少なくとも一方において、前記第３表示要素と同じであってもよい。
【００１３】
あるいは、本実施形態による個人情報表示体は、
個人情報が記録された、レーザー発色層を含む個人情報表示体であって、
前記レーザー発色層の一側または前記レーザー発色層に設けられ、個人情報を表示する第１表示要素と、
前記レーザー発色層にレーザーエングレービングで形成され、個人情報を表示する第２表示要素と、を備え、
前記第１表示要素と前記第２表示要素とは、少なくとも部分的に重なっている。
【００１４】
この場合、前記第２表示要素は、前記第２表示要素が表示する個人情報に対応する凹凸を形成していてもよい。
【００１５】
また、個人情報表示体は、前記レーザー発色層の他側に配置された背景印刷層を更に備え、前記第２表示要素は、前記背景印刷層まで延びていてもよい。
【００１６】
あるいは、前記レーザー発色層の一側に背景印刷層を更に備え、前記第１表示要素は、前記背景印刷層の一側または前記背景印刷層に形成され、前記第２表示要素は、前記背景印刷層まで延びていてもよい。
【００１７】
また、前記個人情報表示体は、前記レーザー発色層の他側に配置された基材層を更に備え、
前記第２表示要素は、前記基材層まで延びていてもよい。
【００１８】
また、前記第２表示要素は、前記レーザー発色層の一側に位置し前記個人情報表示体の最表面をなす表示面から、前記レーザー発色層の他側まで延びていてもよい。
【００１９】
また、前記個人情報表示体は、前記レーザー発色層にレーザーエングレービングで形成され、個人情報を表示する第３表示要素を更に備えていてもよい。
【００２０】
また、前記第２表示要素は、形成に用いられる材料および形成方法のいずれか少なくとも一方において、前記第１表示要素と異なっていてもよい。
【００２１】
また、前記第１表示要素は、特定人の像を表示してもよい。
【発明の効果】
【００２２】
本発明によれば、改竄が困難であるとともに、改竄がなされた場合には改竄がなされたことを容易に判別することができる個人情報表示体を提供することができる。
【図面の簡単な説明】
【００２３】
【図１】図１は、本発明による一実施の形態を説明するための図であって、個人情報表示体の一例を示す平面図である。
【図２】図２は、図１のＩＩ−ＩＩ線に沿った断面図である。
【図３Ａ】図３Ａは、個人情報表示体の製造方法を説明するための図である。
【図３Ｂ】図３Ｂは、個人情報表示体の製造方法を説明するための図である。
【図３Ｃ】図３Ｃは、個人情報表示体の製造方法を説明するための図である。
【図４】図４は、図２に対応する図であって、個人情報表示体の変形例を示す図である。
【図５】図５は、図２に対応する図であって、個人情報表示体の他の変形例を示す図である。
【図６】図６は、図２に対応する図であって、個人情報表示体の更に他の変形例を示す図である。
【図７】図７は、図２に対応する図であって、個人情報表示体の更に他の変形例を示す図である。
【図８】図８は、図２に対応する図であって、個人情報表示体の更に他の変形例を示す図である。
【図９】図９は、図２に対応する図であって、個人情報表示体の更に他の変形例を示す図である。
【図１０】図１０は、図２に対応する図であって、個人情報表示体の更に他の変形例を示す図である。
【図１１】図１１は、図２に対応する図であって、個人情報表示体の更に他の変形例を示す図である。
【図１２】図１２は、図２に対応する図であって、個人情報表示体の更に他の変形例を示す図である。
【図１３】図１３は、図２に対応する図であって、個人情報表示体の更に他の変形例を示す図である。
【発明を実施するための形態】
【００２４】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２５】
図１〜図３Ｃは、本発明の一実施の形態を説明するための図である。このうち、図１〜図２は、主に、個人情報表示体を説明するための図であり、図３Ａ〜図３Ｃは、主に、個人情報表示体の製造方法を説明するための図である。
【００２６】
図１に示すように、個人情報表示体１０は、個人情報が記録された媒体である。個人情報表示体１０の具体的な用途として、パスポート、運転免許証、健康保険証、キャッシュカード、クレジットカード、社員証、会員証等を例示することができる。ここで個人情報表示体１０に記録される個人情報とは、個人に関する情報のことであり、典型的には当該個人情報表示体１０を付与された特定人に関連した情報のことである。この個人情報には、氏名、生年月日、性別等の広く社会一般で用いられる情報に限られることなく、社員番号や会員番号（クレジットカードの会員番号を含む）等のような特定の組織との関連において用いられる個人に関連した情報、一定の期間の間だけ個人に割り当てられた情報等も含まれる。したがって、個人情報表示体１０の発行者からすれば、個人情報表示体１０に記録される個人情報とは、各個人に付与される個人情報表示体１０毎に個別に対応しなければならない情報となる。
【００２７】
このような個人情報表示体１０は、一例として、特定人の身元や資格等を証明するために、当該特定人に対して付与される。個人情報表示体１０の発行者は、個人情報表示体１０に表示される情報に基づいて、個人情報表示体１０の所有者を管理することができる。具体例として、ある組織、例えば会社が、当該組織の構成員、例えば当該会社の社員に対して、当該組織に属することを証明するための媒体として個人情報表示体１０、例えば社員証を付与する。当該組織は、個人情報表示体１０によって表示される所有者の個人情報に基づき、敷地内や室内等への入退場の管理、具体的には入退場の制限や入退場の記録や勤怠の管理等を行うことができる。したがって、個人情報表示体１０に対しては、所有者の認証が容易であること、言い換えると個人情報表示体１０の真贋の判定が容易であること、並びに、模造、改竄が困難であることが要望される。
【００２８】
図１に示すように、個人情報表示体１０は、個人情報表示体１０が付与されるべき特定人の個人情報を表示するための表示要素を有している。図１に示された例では、第１〜第５表示要素４１，４２，４３，４４，４５が個人情報表示体１０に設けられている。図１および図２に示すように、個人情報表示体１０は、カード状に形成されている。そして、個人情報表示体１０は、カード状の表示体本体２０と、表示体本体２０の一側に積層されたカバー層３４と、を有している。さらに、図示の例では、表示体本体２０とカバー層３４との間に受像層２８が配置されている。表示要素４１〜４５は、表示体本体２０とカバー層３４との間、或いは、表示体本体２０の内部に位置している。
【００２９】
ここで説明する例において、表示要素を形成される前の表示体本体２０は、発行されるすべての個人情報表示体１０の間で共通の構成を有している。図２に示すように、表示体本体２０は、基材層２２と、基材層２２の一側に積層された背景印刷層２４と、背景印刷層２４の一側に積層された記録層２６と、を有している。
【００３０】
基材層２２は、例えばＰＥＴ（ポリエチレンテレフタレート）やＰＶＣ（ポリ塩化ビニル）、ＰＣ（ポリカーボネート）など、ＩＤカードの基材に用いられる既知の材料を用いて既知の方法にて作製され得る。
【００３１】
背景印刷層２４は、発行される個人情報表示体１０の間で共通するパターン、例えば、地紋等を印刷された層である。背景印刷層２４も、既知の材料を用いて既知の方法にて作製され得る。
【００３２】
記録層２６は、第２表示要素４２が形成される層である。また、図示の例では、記録層２６は、第３〜第５表示要素４３〜４５が形成される層でもある。図示の例では、後述するように第２〜第５表示要素４２〜４５をレーザーエングレービングで形成するため、記録層２６はレーザー発色層である。
【００３３】
レーザー発色層２６は、レーザー光の照射により発色する層であり、レーザー発色剤を含んでいる。レーザー発色剤としては、例えば、フルオラン系、フェノチアジン系、スピロピラン系、トリフェニルメタフタリド系、ローダミンラクタム系等のロイコ染料が挙げられる。ロイコ染料の具体例としては、３，３−ビス（ｐ−ジメチルアミノフェニル）フタリド、３，３−ビス（ｐ−ジメチルアミノフェニル）−６−ジメチルアミノフタリド、３，３−ビス（ｐ−ジメチルアミノフェニル）−６−アミノフタリド、３，３−ビス（ｐ−ジメチルアミノフェニル）−６−ニトロフタリド、３，３−ビス（ｐ−ジメチルアミノフェニル）フタリド、３，３−ビス（３−ジメチルアミノ）−７−メチルフルオラン、３−ジエチルアミノ−７−クロロフラン、３−ジエチルアミノ−６−クロロ−７−メチルフルオラン、３−ジエチルアミノ−７−アニリノフルオラン、３−ジエチルアミノ−６−メチル−７−アニリノフルオラン、３−ピペリジノ−６−メチル−７−アニリノフルオラン等を挙げることができる。
【００３４】
また、レーザー発色層２６は、レーザー発色剤に加えて、酸化チタンと、ウレタン樹脂と、シリカと、を少なくとも含有している。これらの含有物は、レーザー発色剤の発色を促進すること、レーザー発色層２６の成膜性や密着性を改善すること等を目的として含有されている。
【００３５】
さらに、レーザー発色層２６には、必要に応じて、顔料分散剤、レベリング剤、ワックス、シランカップリング剤、防腐剤、防錆剤、可塑剤、難燃剤、顕色剤などの添加剤を含有させてもよい。
【００３６】
なお、図２に示す例では、レーザー発色層（記録層）２６は、背景印刷層２４よりも個人情報表示体１０の表示面１０ｓ側に配置される。したがって、レーザー発色層（記録層）２６は、背景印刷層２４に印刷されたパターンを視認可能とするため、無色でも有色でもよいが、透明または半透明となっていることが好ましい。
【００３７】
なお、本明細書における「透明または半透明」とは、可視光域の光の透過率が０％でないことを意味する。
【００３８】
受像層２８は、第１表示要素４１が形成される層である。具体的には、受像層２８には、昇華型の熱転写印画法によって色材が昇華熱転写されて、第１表示要素４１が形成される。受像層２８は、昇華性染料の熱移行性の色材を受容し易い既知の材料を用いて既知の方法にて作製され得る。受像層２８を作製するための材料としては、例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル系重合体、エチレン−酢酸ビニル共重合体もしくはポリアクリル酸エステル等のビニル系樹脂、ＰＥＴもしくはＰＢＴ等のポリエステル系樹脂、ポリスチレン系樹脂、ポリアミド系樹脂、エチレンもしくはプロピレン等のオレフィンと他のビニルポリマーとの共重合体系樹脂、アイオノマーもしくはセルロースジアスターゼ等のセルロース系樹脂、ポリカーボネート等が挙げられる。
【００３９】
受像層２８は、表示要素４３〜４５によって表示される個人情報および背景印刷層２４に印刷されたパターンを視認可能とするため、無色でも有色でもよいが、透明または半透明となっている。
【００４０】
なお、第１表示要素４１は、昇華型の熱転写印画法によって記録層２６に色材を昇華熱転写することにより形成されてもよい。この場合、個人情報表示体１０は受像層２８を有していなくてもよい。
【００４１】
カバー層３４は、個人情報表示体１０に設けられた表示要素４１〜４５のうち、少なくとも表示要素４１を覆い、表示要素４１を保護する。カバー層３４は、例えばＩＤカードのカード本体に用いられる既知の材料を用いて既知の方法にて作製され得る。カバー層３４は、表示要素４１〜４５によって表示される個人情報および背景印刷層２４に印刷されたパターンを視認可能とするため、無色でも有色でもよいが、透明または半透明となっている。なお、カバー層３４は、個人情報表示体１０の最表面をなすようになる層であり、耐擦傷性等を有していることが好ましい。
【００４２】
次に、表示要素４１，４２，４３，４４，４５について詳述する。個人情報表示体１０には、上述したように、個人情報表示体１０の所有者となるべき特定人の個人情報を表示するための表示要素４１，４２，４３，４４，４５が、表示体本体２０上または表示体本体２０の内部に設けられている。
【００４３】
図１に示された例において、第１表示要素４１および第５表示要素４５は、特定人の像として、顔を含む上半身を表示している。第２表示要素４２および第３表示要素４３は、識別番号を文字や数字等の記号情報として表示している。第４表示要素４４は、氏名、性別、生年月日を文字や数字等の記号情報として表示している。図示された例のように、個人情報表示体１０が、所有者の像、とりわけ顔を含む像を表示する場合、所有者の認証、並びに、認証結果に基づいた個人情報表示体の真贋判定を容易かつ正確に行うことができる。
【００４４】
また、第５表示要素４５によって表示される像は、ゴースト像とも呼ばれる像である。第５表示要素４５は、第１表示要素４１によって表示される像と同一の像を、同一の大きさ又は異なる大きさで表示する。ただし、第１表示要素４１および第５表示要素４５は互いに異なる方法で表示体本体２０に形成されている。第１表示要素４１に加えて第５表示要素４５を個人情報表示体１０に設けることにより、個人情報表示体１０の偽造防止性を効果的に向上させることができる。
【００４５】
まず、第１表示要素４１について説明する。第１表示要素４１は、記録層２６の一側に、印刷によって設けられる。とりわけ図示の例では、第１表示要素４１は、記録層２６とカバー層３４との間に配置された受像層２８に、昇華型の熱転写印画法によって色材を昇華熱転写することにより、形成されている。
【００４６】
表示体本体２０に熱転写される色材は、作製すべき第１表示要素４１に対応して種々の色を含めることができる。フルカラー画像により個人情報を表示する個人情報表示体１０では、イエロー・マゼンタ・シアン・黒の四色の色材、或いは、赤・緑・青・黒の四色の色材を、受像層２８に熱転写することになる。この結果、表示体本体２０とカバー層３４との間には、イエロー・マゼンタ・シアン・黒の四色の色材の一以上、或いは、赤・緑・青・黒の四色の色材の一以上からなる第１表示要素４１が形成される。
【００４７】
次に、第２表示要素４２について説明する。上述のように、図１に示された個人情報表示体１０において、第２表示要素４２は、識別番号を文字や数字等の記号情報として表示している。
【００４８】
上述のように、図２に示された例において、記録層２６はレーザー発色層であり、第２表示要素４２は、レーザーエングレービング法により、少なくともレーザー発色層２６の内部に形成されている。すなわち、第２表示要素４２は、レーザー発色層２６が感度を示す波長域のレーザー光をレーザー発色層に照射することにより、レーザー光の走査経路に沿った黒色の層として形成されている。黒色の層の形成は、レーザー光が、レーザー発色層２６に照射されると、レーザー発色剤の分解、気化、炭化等が誘因されることによる。
【００４９】
なお、このように材料および形成方法の少なくとも一方が異なる複数の表示要素を個人情報表示体１０が含んでいることにより、個人情報表示体１０の偽造防止性を効果的に高めることができる。
【００５０】
また、第２表示要素４２は、個人情報表示体１０の個人情報の表示面１０ｓの法線方向に沿って、第１表示要素４１と少なくとも部分的に重なる領域に形成されている。これにより、個人情報表示体１０から第１表示要素４１を削る等して除去しても、第２表示要素４２が個人情報表示体１０に残る。したがって、レーザー発色層（記録層）２６の内部に形成された第２表示要素４２を確認することにより、個人情報表示体１０の真贋判定を行うことができる。なお、上述のように第１表示要素４１が記録層２６の一側に形成される場合だけでなく、記録層２６に形成される場合も、第２表示要素４２は、記録層２６の第１表示要素４１が設けられた領域の内部に形成される。このため、この場合も、第１表示要素４１を除去するために記録層２６の一部（例えば一側の半部）が除去されても、記録層２６の他の部分（例えば他側の半部）に第２表示要素４２が残る。したがって、残った第２表示要素４２を確認することにより、個人情報表示体１０の真贋判定を行うことができる。
【００５１】
なお、図示の例では、第２表示要素４２は、第２表示要素４２がレーザー発色層（記録層）２６の近隣の層にまで及ぶように形成されている。このような第２表示要素４２は、レーザー発色層２６への印字回数（レーザー発色層２６に照射されるレーザー光の走査回数）、並びに／または、レーザー発色層２６に照射されるレーザー光のレーザーパワー〔％〕、Ｑスイッチ周波数〔Ｈｚ〕、および／または、走査速度〔ｍｍ／秒〕を制御することにより、形成され得る。
【００５２】
図示の例では、第２表示要素４２は、背景印刷層２４にまで及んでいる。したがって、第１表示要素４１だけでなく第２表示要素４２も除去しようとすると、背景印刷層２４も除去されることとなる。これにより、個人情報表示体１０の改竄を容易に検知することができる。あるいは、破壊された背景印刷層２４を再現することは困難であるため、個人情報表示体１０の改竄を効果的に困難にすることができる。
【００５３】
さらに、図示の例では、第２表示要素４２は、基材層２２まで延びている。このような個人情報表示体１０では、基材層２２に積層された全ての層が除去されても、基材層２２に第２表示要素４２の一部が残る。このため、第２表示要素４２を全て除去するためには、基材層２２を削る必要がある。このように、第２表示要素４２が基材層２２まで延びていることにより、個人情報表示体１０の改竄を効果的に困難にすることができる。
【００５４】
また、図示の例では、第２表示要素４２は、カバー層３４にまで及んでいる。そして、第２表示要素４２により、個人情報表示体１０の個人情報の表示面１０ｓには、第２表示要素４２が表示する個人情報に対応した凹凸が形成されている。このような凹凸は、第１表示要素４１を除去して第１表示要素４１によって表示される個人情報を改竄しようとする場合、第１表示要素４１と共に除去されてしまう。したがって、個人情報表示体１０の凹凸の有無を確認するだけで、すなわち個人情報表示体１０に触れるだけで、個人情報表示体１０の真贋判定を行うことができる。なお、表示面１０ｓに形成される凹凸は、印刷等によっては容易に再現することができない。このように、個人情報表示体１０の最表面（表示面１０ｓ）に上述の凹凸が設けられていることにより、個人情報表示体１０の真贋判定を容易に行うことができ、且つ、個人情報表示体１０の改竄を効果的に困難にすることができる。
【００５５】
以上のように、図示の例では、第２表示要素４２は、記録層（レーザー発色層）２６の一側に位置し個人情報表示体１０の最表面をなす表示面１０ｓから、記録層（レーザー発色層）２６の他側まで（より具体的には背景印刷層２４および基材層２２まで）連続的に延びている。
【００５６】
次に、第３〜第５表示要素４３〜４５について説明する。第３〜第５表示要素４３〜４５は、種々の既知の方法により作製され得る。図示の例では、第３〜第５表示要素４３〜４５は、レーザーエングレービング法により、レーザー発色層２６の内部に形成されている。
【００５７】
なお、第３〜第５表示要素４３〜４５がレーザー発色層（記録層）２６に形成される場合、第３〜第５表示要素４３〜４５はレーザー発色層（記録層）２６の近隣の層に及んでいなくてもよい。
【００５８】
なお、上述のように、第２表示要素４２が、形成に用いられる材料および形成方法において第３〜第５表示要素４３〜４５のいずれかと同じであることにより、第２表示要素４２を、追加の材料を用いることなく、第３〜第５表示要素４３〜４５のいずれかの形成工程と同一工程で形成することができる。もちろん、第２表示要素４２が、形成に用いられる材料および形成方法のいずれか一方において、第３〜第５表示要素４３〜４５のいずれかと同じであってもよい。この場合、第２表示要素４２を、追加の材料を用いることなく、あるいは、追加の形成工程を伴うことなく、形成することができる。
【００５９】
もちろん、第３〜第５表示要素４３〜４５は、形成に用いられる材料および形成方法のいずれもにおいて、第２表示要素４２と異なっていてもよい。例えば、第３〜第５表示要素４３〜４５は、第１表示要素４２と同一の印刷方式により、第１表示要素４２の形成と同一工程で形成されてもよい。
【００６０】
加えて、図１に示す個人情報表示体１０において、第３〜第５表示要素４３〜４５の少なくとも一つが蛍光発光材料を用いて形成されているようにしてもよい。ここで蛍光発光材料とは、ある波長域の光に対して感度を示し、当該波長域の光を受光した場合に発光する性質を有した材料である。このような個人情報表示体１０によれば、特別な条件下にて、蛍光発光材料を用いて形成された表示要素によって表示される個人情報が観察されるようになり、通常の条件下では、蛍光発光材料を用いて形成された表示要素によって表示される個人情報が視認されないようにすることができる。
【００６１】
一例として、赤外線や紫外線等の非可視光を照射された場合に可視光を発光する蛍光発光材料を用いて、第３〜第５表示要素４３〜４５の少なくとも一つを作製するようにしてもよい。このような個人情報表示体１０によれば、通常の条件下では表示され得ない又は視認され難い個人情報を含んでいるので、個人情報表示体１０の偽造防止性を格段に向上させることができる。一方、蛍光発光材料が感度を有する非可視光のみを照射される特別の環境下においては、蛍光発光材料を用いて形成された表示要素によって表示される個人情報のみが観察されるようになる。これにより、蛍光発光材料を用いて形成された表示要素によって表示される個人情報像によっても所有者の認証および個人情報表示体１０の真贋判定を容易且つ正確に行うことができる。なお、蛍光発光材料を用いた表示要素は、熱転写印画法またはインクジェット印刷法によって記録層２６に蛍光発光材料を熱転写することにより、形成され得る。
【００６２】
次に、ここまで説明してきた個人情報表示体１０を製造する方法の一例について説明する。
【００６３】
まず、受像層２８が積層された表示体本体２０は、既知の方法により作製され得る。具体的には、各々が上述した基材層２２、背景印刷層２４、記録層２６、および受像層２８をなすようになる複数のシート状の材料を互いに積層することによって、積層体を作製する。その後、得られた積層体を、所望の大きさに切断することにより、受像層２８が積層された表示体本体２０が得られる（図３Ａ参照）。なお、受像層２８が積層された表示体本体２０を作製する際の中間物である積層体は、所望の大きさの表示体本体２０が複数枚取り出せる大きさで形成されることが、生産効率の観点から好ましい。
【００６４】
次に、図３Ｂに示すように、記録層２６上に、第１表示要素４１が印刷により設けられる。第１表示要素４１は、例えば次の方法により、印刷される。すなわち、まず、基材シート上に色材が塗工されてなる熱転写シートを準備し、熱転写シートを受像層２８の上に配置する。そして、熱転写シートを受像層２８に向けて加熱加圧し、熱転写シートの色材を受像層２８に昇華熱転写する。このようにして、受像層２８内に第１表示要素４１が形成される。
【００６５】
次に、図３Ｃに示すように、第１表示要素４１が形成された受像層２８の上に、カバー層３４が形成される。カバー層３４は、例えば、次の方法により形成される。すなわち、まず、基材シート上にカバー層３４をなすようになる材料が塗工されてなる熱転写シートを準備し、熱転写シートを色材が転写された受像層２８の上に配置する。そして、熱転写シートを受像層２８に向けて加熱加圧し、熱転写シートの材料を受像層２８に熱転写する。このようにして、第１表示要素４１を覆うカバー層３４が形成される。
【００６６】
次に、図２に示すように、記録層２６に第２〜第５表示要素４２〜４５が形成される。具体的には、カバー層３４が積層された積層体に対して、カバー層３４の側からレーザー光を照射することによって、記録層２６に第２〜第５表示要素４２〜４５を記録することができる。
【００６７】
第２〜第５表示要素４２〜４５の記録に用いられるレーザー光は、レーザー発色層２６に含有されるレーザー発色剤に応じて、適宜選択されてよく、特に限定されるものではない。例えば、Ｎｄ：ＹＡＧレーザー（１０６４ｎｍ）、Ｎｄ：ＹＶＯ４レーザー（１０６４ｎｍ）等から発振されるレーザー光を、用いることができる。
【００６８】
カバー層３４を透過したレーザー光が、レーザー発色層２６に照射されると、レーザー発色剤の分解、気化、炭化等が誘因され、レーザー光の走査経路に沿った第２〜第５表示要素４２〜４５が、記録層２６に記録され視認されるようになる。
【００６９】
なお、図示の例では、第２表示要素４２の形成は、少なくとも第２表示要素４２が背景印刷層２４およびカバー層３４に及ぶように、レーザー発色層２６への印字回数（レーザー発色層２６に照射されるレーザー光の走査回数）、並びに／または、レーザー発色層２６に照射されるレーザー光のレーザーパワー〔％〕、Ｑスイッチ周波数〔Ｈｚ〕、および／または、走査速度〔ｍｍ／秒〕を制御して、実施される。たとえば、第３〜第５表示要素４３〜４５を記録する際のレーザー光の走査回数よりも、第２表示要素４２を記録する際のレーザー光の走査回数を多くすることにより、第２〜第５表示要素４３〜４５のうち第２表示要素４２のみを、背景印刷層２４および基材層２２並びにカバー層３４に及ぶように形成する。あるいは、第３〜第５表示要素４３〜４５を記録する際のレーザー光のレーザーパワーよりも、第２表示要素４２を記録する際のレーザー光のレーザーパワーを高くすることにより、第２〜第５表示要素４３〜４５のうち第２表示要素４２のみを、背景印刷層２４および基材層２２並びにカバー層３４に及ぶように形成する。
【００７０】
以上のようにして、図１に示された個人情報表示体１０が製造され得る。ただし、以上の製造方法は、単なる例示に過ぎず、種々の変更が可能である。例えば、上述した製造方法では、第１表示要素４１が昇華熱転写により形成されるが、溶融型熱転写方式やインクジェット方式等の他の印刷方式により形成されてもよい。この場合、表示体本体２０に受像層２８が積層されなくてもよい。また、第３〜第５表示要素４３〜４５は、第１表示要素４１の形成に用いられる材料および形成方法と同様の材料および形成方法により、記録層２６上に形成されてもよい。
【００７１】
以上において、図１乃至図３Ｃを参照しながら個人情報表示体１０の一実施形態について説明してきたが、以上で説明した個人情報表示体１０は例示に過ぎない。例えば、第１〜第５表示要素４１〜４５は、上述してきた例とは異なる個人情報を表示するようにしてもよい。さらに、第１〜第５の表示要素４１〜４５に代えて或いは第１〜第５の表示要素４１〜４５に加えて、他の表示要素を個人情報表示体１０に設けるようにしてもよい。
【００７２】
さらに、カバー層３４には、個人情報表示体１０の偽造を防止し、真贋判定を行うことができるよう、文字や図形、パターンを表す回折光学可変素子が設けられていてもよい。このような文字や図形、パターンは、発行される個人情報表示体１０の間で共通するものであってもよいし、互いに異なるものであってもよい。
【００７３】
ここで回折光学可変素子（DOVID：diffractive optically variable Image device）とは、回折現象の利用により観察方向に依存して、その観察のされ方、例えば明るさや色等が変化する素子のことである。回折光学可変素子は、単なるカラーコピー等によって容易に複製され得ず、その製造に高度な製造技術が必要とされるため、個人情報表示体１０の偽造防止性を効果的に高めることができる。回折光学可変素子の典型例として、ホログラムや回折格子を例示することができる。ホログラムや回折格子からなる回折光学可変素子は、レリーフ型として形成されてもよいし、或いは、体積型として形成されていてもよい。レリーフ型の回折光学可変素子の場合、光学素子に凹凸を形成することにより実現されるため、比較的に容易に製造することができる。一方、体積型の回折光学可変素子の場合、きわめて高度の製造技術を必要とするため、偽造防止性を向上させることができる。回折光学可変素子は、不透明であってもよいし、有色又は無色を問わず透明或いは半透明であってもよい。なお、回折光学可変素子をカバー層３４に設ける方法としては、シート状の回折光学可変素子をカバー層３４に転写させることや、シート状の基材と当該基材に転写されたシート状の回折光学可変素子とからなるホログラムパッチをカバー層３４に貼り付けること等が考えられる。
【００７４】
あるいは、カバー層３４には、個人情報表示体１０の偽造を防止し、真贋判定を行うことができるよう、文字や図形、パターンを表す印刷層が設けられていてもよい。印刷層は、既知の材料を用いて既知の方法により形成され得る。例えば、印刷層は、熱転写印画法またはインクジェット印刷法によって、カバー層３４に上述の蛍光発光材料を熱転写することにより、形成され得る。印刷層により表される文字や図形、パターンは、発行される個人情報表示体１０の間で共通するものであってもよいし、互いに異なるものであってもよい。
【００７５】
さらに、個人情報表示体の層構成に対しても、様々な変更を加えることが可能である。以下、図４乃至図１３を参照しながら、個人情報表示体の層構成の変形例について説明する。図４乃至図１３は、図２に対応する図であって、個人情報表示体の断面を示す図である。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００７６】
例えば、個人情報表示体１０は、図４に示すように、背景印刷層２４を有していなくてもよく、また、図５に示すように、カバー層３４を有していなくてもよい。
【００７７】
また、上述のように、第１表示要素４１が溶融型熱転写方式やインクジェット方式等の他の印刷方式により形成される場合、個人情報表示体１０は、図６に示すように、受像層２８を有していなくてよい。また、この場合も、図７に示すように、個人情報表示体１０は、カバー層３４を有していなくてもよい。あるいは、図８に示すように、カバー層３４は、第１表示要素４１が形成されている領域にのみ設けられていてもよい。
【００７８】
さらに、図９に示すように、記録層（レーザー発色層）２６は、基材層２２と背景印刷層２４との間に設けられてもよい。この場合、記録層２６は、不透明であってもよい。また、背景印刷層２４は、記録層２６に形成された表示要素４１〜４５によって表示される個人情報を視認可能とするため、無色でも有色でもよいが、透明または半透明となっていることが好ましい。なお、この場合も、個人情報表示体１０は、図９に示すように、受像層２８を有していなくてもよく、また、図１０に示すように、カバー層３４を有していなくてもよい。
【００７９】
また、記録層（レーザー発色層）２６が基材層２２と背景印刷層２４との間に設けられる場合、図１１に示すように、背景印刷層２４の一側に背景印刷層２４を保護する第２カバー層１３４が設けられてもよい。この場合、第２カバー層１３４の一側または第２カバー層１３４に第１表示要素４１が形成されてもよい。第２カバー層１３４は、例えば、カバー層３４と同様に、ＩＤカードのカード本体に用いられる既知の材料を用いて既知の方法にて作製され得る。第２カバー層１３４は、背景印刷層２４に印刷されたパターンを視認可能とするため、無色でも有色でもよいが、透明または半透明となっている。なお、この場合も、図１２に示すように、個人情報表示体１０は、カバー層３４を有していなくてもよい。あるいは、図１３に示すように、カバー層３４は、第１表示要素４１が形成されている領域にのみ設けられていてもよい。図１２および図１３に示す例では、第２カバー層１３４の少なくとも一部は、個人情報表示体１０の最表面をなすようになる層であるため、耐擦傷性等を有していることが好ましい。
【００８０】
以上のように、本実施の形態の個人情報表示体１０は、個人情報が記録された、記録層２６を含む個人情報表示体１０であって、記録層２６の一側または記録層２６に印刷で形成され、個人情報を表示する第１表示要素４１と、記録層２６に形成され、凹凸により個人情報を表示する第２表示要素４２と、を備えている。そして、第１表示要素４１と第２表示要素４２とは、少なくとも部分的に重なっている。このような個人情報表示体１０においては、第１表示要素４１を除去するためには、第２表示要素４２が形成する凹凸も除去しなければならない。したがって、個人情報表示体１０の最表面（表示面１０ｓ）の凹凸の有無を判断するだけで、すなわち個人情報表示体１０に触れるだけで、個人情報表示体１０の真贋判定を非常に容易に行うことができる。なお、個人情報表示体１０の最表面（表示面１０ｓ）の凹凸は印刷等によっては容易に再現することができない。このように、個人情報表示体１０の最表面（表示面１０ｓ）に上述の凹凸が設けられていることにより、個人情報表示体１０の真贋判定を容易に行うことができ、且つ、個人情報表示体１０の偽造を効果的に困難にすることができる。
【００８１】
あるいは、本実施の形態の個人情報表示体１０は、個人情報が記録された、記録層２６を含む個人情報表示体１０であって、記録層２６の一側または記録層２６に印刷で形成され、個人情報を表示する第１表示要素４１と、記録層２６の第１表示要素４１と重なる領域または第１表示要素４１が設けられた領域の内部に形成され、個人情報を表示する第２表示要素４２と、を備えている。このような個人情報表示体１０においては、第１表示要素４１が表示する個人情報を改竄するために第１表示要素４１を除去しても、第２表示要素４２が個人情報表示体に残る。したがって、記録層２６の内部に形成された第２表示要素４２を確認することにより、個人情報表示体１０の真贋判定を行うことができる。
【００８２】
とりわけ本実施の形態の個人情報表示体１０は、記録層２６の他側に配置された背景印刷層２４を更に備えている。そして、第２表示要素４２は、背景印刷層２４まで延びている。したがって、第２表示要素４２を除去するためには、背景印刷層２４の少なくとも一部を除去する必要がある。したがって、個人情報表示体１０の改竄を容易に検知することができる。あるいは、破壊された背景印刷層２４を再現することは困難であるため、個人情報表示体１０の改竄を効果的に困難にすることができる。
【００８３】
なお、個人情報表示体１０は、記録層２６の一側に背景印刷層２４を更に備え、第１表示要素４１は、背景印刷層２４の一側または背景印刷層２４に形成され、第２表示要素４２は、背景印刷層２４まで延びていてもよい。この場合も、第２表示要素４２を除去するためには、背景印刷層２４の少なくとも一部を除去する必要がある。したがって、個人情報表示体１０の改竄を容易に検知することができる。あるいは、個人情報表示体１０を改竄することが、効果的に困難になる。
【００８４】
また、本実施の形態の個人情報表示体１０は、記録層２６の他側に配置された基材層２２を更に備え、第２表示要素４２は、基材層２２まで延びている。このような個人情報表示体１０では、基材層２２に積層された全ての層が除去されても、基材層２２に第２表示要素４２の一部が残る。したがって、第２表示要素４２を除去するためには、基材層２２を削る必要がある。したがって、個人情報表示体１０の改竄を効果的に困難にすることができる。
【００８５】
なお、本実施の形態においては、第２表示要素４２は、記録層２６の一側に位置し個人情報表示体１０の最表面をなす表示面１０ｓから記録層２６の他側まで延びている。
【００８６】
とりわけ本実施の形態によれば、記録層２６に形成され、個人情報を表示する第３表示要素４３を更に備えている。そして、第２表示要素４２は、形成に用いられる材料および形成方法のいずれか少なくとも一方において、第３表示要素４３と同じである。この場合、第２表示要素４２を、追加の材料を用いることなく、あるいは、追加の工程を伴うことなく、形成することができる。
【００８７】
また、本実施の形態によれば、個人情報が記録された、レーザー発色層２６を含む個人情報表示体１０は、レーザー発色層２６の一側またはレーザー発色層２６に設けられ、個人情報を表示する第１表示要素４１と、レーザー発色層２６にレーザーエングレービングで形成され、個人情報を表示する第２表示要素４２と、を備えている。そして、第１表示要素４１と第２表示要素４２とは、少なくとも部分的に重なっている。
【００８８】
本実施の形態の個人情報表示体１０によれば、第２表示要素４２は、少なくともレーザー発色層２６の内部に形成されている。また、第１表示要素４１と第２表示要素４２とは、少なくとも部分的に重なっている。このため、第２表示要素４２の少なくとも一部は、レーザー発色層２６の第１表示要素４１と重なる領域、または、レーザー発色層２６の第１表示要素４１が設けられた領域の内部に形成されている。このような個人情報表示体１０においては、第１表示要素４１が表示する個人情報を改竄するために第１表示要素４１を除去しても、第２表示要素４２が個人情報表示体１０に残る。したがって、レーザー発色層２６の内部に形成された第２表示要素４２を確認することにより、個人情報表示体１０の真贋判定を行うことができる。
【００８９】
とりわけ本実施の形態によれば、第２表示要素４２は、個人情報表示体１０の最表面をなす表示面１０ｓに、第２表示要素４２が表示する個人情報に対応する凹凸を形成している。この場合、第１表示要素４１を除去するためには、第２表示要素４２が個人情報表示体１０の最表面（表示面１０ｓ）に形成する凹凸も除去しなければならない。したがって、個人情報表示体１０の最表面（表示面１０ｓ）の凹凸の有無を判断するだけで、すなわち個人情報表示体１０に触れるだけで、個人情報表示体１０の真贋判定を行うことができる。なお、個人情報表示体１０の最表面（表示面１０ｓ）の凹凸は印刷等によっては容易に再現することができない。このように、個人情報表示体１０の最表面（表示面１０ｓ）に上述の凹凸が設けられていることにより、個人情報表示体１０の真贋判定を容易に行うことができ、且つ、個人情報表示体１０の偽造を効果的に困難にすることができる。
【００９０】
とりわけ本実施の形態の個人情報表示体１０は、レーザー発色層２６の他側に配置された背景印刷層２４を更に備えている。そして、第２表示要素４２は、背景印刷層２４まで延びている。したがって、第２表示要素４２を除去するためには、背景印刷層２４の少なくとも一部を除去する必要がある。したがって、個人情報表示体１０の改竄を容易に検知することができる。あるいは、破壊された背景印刷層２４を再現することは困難であるため、個人情報表示体１０の改竄を効果的に困難にすることができる。
【００９１】
なお、個人情報表示体１０は、レーザー発色層２６の一側に背景印刷層２４を更に備え、第１表示要素４１は背景印刷層２４の一側または背景印刷層２４に形成され、第２表示要素４２は、背景印刷層２４まで延びていてもよい。この場合も、第２表示要素４２を除去するためには、背景印刷層２４の少なくとも一部を除去する必要がある。したがって、個人情報表示体１０の改竄を容易に検知することができる。あるいは、個人情報表示体１０を改竄することが、効果的に困難になる。
【００９２】
また、本実施の形態による個人情報表示体１０は、レーザー発色層２６の他側に配置された基材層２２を更に備え、第２表示要素４２は、基材層２２まで延びている。このような個人情報表示体１０では、基材層２２に積層された全ての層が第２表示要素４２と共に除去されても、基材層２２に第２表示要素４２の一部が残る。そのため、第２表示要素４２を除去するためには、基材層２２を削る必要がある。これにより、個人情報表示体１０の改竄が効果的に困難になる。
【００９３】
なお、本実施の形態においては、第２表示要素４２は、レーザー発色層２６の一側に位置し個人情報表示体１０の最表面をなす表示面１０ｓからレーザー発色層２６の他側まで延びている。
【００９４】
また、本実施の形態によれば、レーザー発色層２６にレーザーエングレービングで形成され、個人情報を表示する第３表示要素４３を更に備えている。この場合、第２表示要素４２が、形成に用いられる材料および形成方法のいずれもにおいて、第３表示要素４３と同じである。これにより、第２表示要素４２を、追加の材料を用いることなく、第３表示要素４３の形成工程と同一工程で形成することができる。
【００９５】
また、本実施の形態によれば、第２表示要素４２は、形成に用いられる材料および形成方法のいずれか少なくとも一方において、第１表示要素４１と異なる。このように材料および形成方法の少なくとも一方が異なる複数の表示要素４１，４２を個人情報表示体１０が含んでいることにより、個人情報表示体１０の偽造防止性を効果的に高めることができる。
【００９６】
また、本実施の形態によれば、第１表示要素４１は、特定人の像を表示する。所有者の像、とりわけ顔が個人情報表示体１０に記録されている場合には、所有者の認証、並びに、認証結果に基づいた個人情報表示体１０の真贋判定を容易かつ正確に行うことができる。
【００９７】
以上、本発明を図示する実施の形態に基づいて説明したが、本発明はこれらの実施形態に限定されるものではなく、この他にも種々の態様で実施可能である。
【符号の説明】
【００９８】
１０  個人情報表示体
２０  表示体本体
２２  基材層
２４  背景印刷層
２６  記録層（レーザー発色層）
２８  受像層
３４  カバー層
４１  第１表示要素
４２  第２表示要素
４３  第３表示要素
４４  第４表示要素
４５  第５表示要素
【図１】
2019155727.tif 000003
【図２】
2019155727.tif 000004
【図３Ａ】
2019155727.tif 000005
【図３Ｂ】
2019155727.tif 000006
【図３Ｃ】
2019155727.tif 000007
【図４】
2019155727.tif 000008
【図５】
2019155727.tif 000009
【図６】
2019155727.tif 000010
【図７】
2019155727.tif 000011
【図８】
2019155727.tif 000012
【図９】
2019155727.tif 000013
【図１０】
2019155727.tif 000014
【図１１】
2019155727.tif 000015
【図１２】
2019155727.tif 000016
【図１３】
2019155727.tif 000017